(57)【要約】【目的】  線香や花火等に着火する際に用いる火種を風から防ぐと共に、例え新聞紙等の火種を燃焼させた場合でも燃えカスを飛散させることなく自然に灰化させ、しかも、灰を自然に流出させることができる焼却容器を提供する。【構成】  上端部に開口部１が形成され、底部２に水抜き孔３が形成され、かつ、底裏に複数の脚体５が設けられたほぼ壷形状の容器本体４と、容器本体４の底部２に配設され、底裏に複数の短脚７を設けた火格子８と、開口部１に被冠され、かつ、開口部１との間に水導入孔９が形成された上蓋１０とを備える。【選択図】図１
2009046960.tif 000002
【特許請求の範囲】
【請求項１】
上端部に開口部（１）が形成され、底部（２）に水抜き孔（３）が形成され、かつ、底裏に複数の脚体（５）が設けられたほぼ壷形状の容器本体（４）と、
上記容器本体（４）の上記底部（２）に配設され、底裏に複数の短脚（７）を設けた火格子（８）と、
上記開口部（１）に被冠され、かつ、上記開口部（１）との間に水導入孔（９）が形成される上蓋（１０）とを備えたことを特徴とする焼却容器。
【請求項２】
開口部（１）は、容器本体（４）の最上端部中心辺りから一方へ傾斜させて設けられ、この傾斜した開口部（１）に上蓋（１０）を嵌合する請求項１記載の焼却容器。
【請求項３】
傾斜した開口部（１）の内周には段差（１１）が形成され、下辺部近傍には切欠状の水導入孔（９）が形成され、上記段差（１１）に上蓋（１０）の周辺部を嵌合させ、上記段差（１１）を介して流通する水を上記水導入孔（９）から上記容器本体（４）に導入するように構成した請求項２記載の焼却容器。
【請求項４】
容器本体（４）の底部（２）に水抜き孔（３）を形成した請求項１乃至請求項３のいずれかに記載の焼却容器。
【請求項５】
火格子（８）の片面に、蝋燭立て用針（１２）を有して、燭台兼用とした請求項６記載の焼却容器。
【発明の詳細な説明】
【技術分野】
【０００１】  この発明は、線香や蝋燭の着火に用いると共に、燭台にもなり得て、着火の際に用いた古新聞紙等の不要可燃物を、安全に焼却するための焼却容器に関する。
【背景技術】
【０００２】  例えば、墓地にて線香やローソクを、風の吹く日などに着火させるには、炎の強いトーチ状の点火器を用いればまだしも、しかし、トーチ状の点火器は、扱いが慣れないと危ないので、一般的にはマッチやライターを用いるから、何か防風用に楯になる場所へ行って着火させる場合が多い。ところが、折角、点けた火が、その場所から墓碑の前まで持参する聞に消えてしまうことを、誰でもが多く経験していることである。
特に、ローソクは直ぐ着火するが風に弱く消えやすいし、逆に、線香は或る程度、束状態で着火させる必要があるから、一度点いたら消え難いが、着火させ難いものである。【０００３】  そこで、墓参りのとき、線香に着火させる場合には、古新聞紙や広告紙等を持参し、大火にして着火させているのが実情である。ところが、使用した紙類の燃えカスが問題である。すなわち、紙類の燃えカスは軽くなり、少しの風でも舞いやすいからである。それこそ、風の強い日は急ぎ靴底で踏み消したりしているが、昨今の墓地では地肌の露出が少なくコンクリート面が多く、消しカスの始末にも困るのが実態である。
ところが、墓地にこれらの処分をする場所も入れ物もないのが現実である。【０００４】  他方、着火させた線香やローソクの火を風雨から守る手段には多くの先願がある。従来の代表的な先行技術は、例えば墓前に置く香炉において、線香を置く網と台が入る石材容器であり、側面下方に灰皿引き出し口兼通風口を設け、上方にも通風口を設け、その石材容器の上部の開口を、石材製の蓋で着脱自在に被覆する発明の名称「墓前安全香炉」というものがある（例えば、特許文献１参照）。【０００５】  更に、線香がまだ燃えている状態で風が吹いても飛散することなく火災防止となり安全だとする香炉として、上部に開口部を形成した香炉本体の内側に、蓋部と香皿とを取付けた回転体を、蓋部が開口部を塞ぐように、回動自在に軸支すると共に、蓋部が香炉本体の内側に回動した状態においては、香皿が開口部に位置するように取付けているので、線香を上げる時には香皿が開口部に位置され、墓参が終わって帰る時には回転体を回転させることにより、回転体は蓋部となって開口部を塞ぐことになる発明の名称「墓石用香炉」というものがある（例えば、特許文献２参照）。【０００６】  また、ローソク用としては、石製の灯明室であって、その前面は、上方から透明板が着脱自在に、しかも下部を開放状態にしてローソクの灯の酸素供給ができるよう透明板の上縁部分に厚いストッパー体を付設して装着され、後面は鏡板を固定してローソクの灯の効果を高め、側面には通気孔を設けた発明の名称「墓用香炉」というものがある（例えば、特許文献３参照）。【０００７】  更に、携帯できる焼却炉と云う観点から見ると、焼却物の燃えかすを極めて容易に除去できて、かつ、金属筒製としてコスト安で製作できるものとして、筒状の炉体内底部に焼却物を支承する支承板部を設けた焼却器であり、その炉体を、上部に閉塞蓋体を有する筒状本体部と、上面に支承板部を有しこの筒状本体部の下部開口部に飯合閉塞する載置台部とに二分形成し、両者の飯合状態のロック・解除機構を両者に設けて、両者を着脱自在にした発明の名称「焼却器」というものがある（例えば、特許文献４参照）。
【特許文献１】特開平１０−０９６３３９号公報（［０００８］〜［０００９］、図１、図２）
【特許文献２】特開２００４−３１６３０５号公報（［０００６］〜［００１０］、図１、図５）
【特許文献３】特開平０８−００４３５４号公報（［００１１］〜［００１２］、図１、図３）
【特許文献４】特開平０８−１５２１１９号公報（［００１３］〜［００１４］、図１、図２）
【発明の開示】
【発明が解決しようとする課題】
【００１５】  ところが、上記の特許文献１は、線香のために通風口兼用の灰皿の引き出し口を設けた点に工夫があり、線香を置く網と台を石材容器で囲うから、風により飛ばされる虞もなく安全ではあるが、勿論、香炉の故かローソクの使用には配慮なく、また、線香への着火手段については全く触れでも考えられでもいない。【００１６】  特許文献２においても、香炉として延焼中の線香のためのものであり、墓参が終わって帰る時には回転体を回転させ蓋部となって開口部を塞ぐことになるから、これも延焼中の線香は、風により飛ばされる虞もなく安全ではあるが、ローソクの使用には配慮なく、また、線香への着火手段については全く触れでも考えられてもいない。【００１７】  特許文献３は、名称を香炉としているが、燭台としてローソク立てを内装した墓前用の石製灯明室を形成したものである。確かに透明板を介してローソクの灯が見えるし、通気孔の存在でローソクへの酸素供給もできて、また、防風策も可能である。
加えて、線香用にも使用でき得るものと考えられるが、しかしながら、その場合の線香への着火手段については、全く触れでも考えられでもいない。【００１８】  更に、特許文献４は、小型で携帯可能な焼却器であるから、墓前へも持参して行けば使用できるから、前述したように古新聞紙等を丸めて投入し、線香への着火後の始末はでき得るものとしても、単なる金属製では風雨に晒されて錆び付くので、墓前に置いた侭にして帰宅する訳にはいかないし、その形状は、墓前に置いて相応しいものとは云えない。【００１９】  以上、先願例を幾つか紹介したが、香炉・燭台として墓前に設置する石材製によるものが主であって、これ等は線香への着火手段については全く触れでも考えられでもいない。すなわち、一般的な線香への着火手段として、マッチやライターを用いて紙類を燃やした後の後始末に対する配慮、工夫がなされておらず、或る程度可能としても不十分である。【００２０】  ましてや、大きな炎を得るための紙類の燃焼であるから、燃えカスの量も多いし、燃焼中に、風に吹かれでも燃えカスが舞い上がらず、燃え尽きるまで墓前にて待たずとも、帰宅後も、燃えカスが飛散せず自然に完全灰化すること、更には、雨を積極的に利用して完全に消火せしめ、加えて、その灰を雨により自然に焼却容器から流出させたいのである。【００２１】  また、墓碑の前には必ず線香を上げるための香炉はあるが、昨今、燭台は殆ど見受けられないのが現状である。本来、現在でも墓前には燈繕が必ず有るように、香華灯飾と云ってローソクを点すことは重要な儀式なのだから、できるだけ燭台も兼ねる墓地用焼却容器としたいと云う新たなもう一つの課題もある。
この発明は、従来の不十分点と共に、新たな課題も解消しようとするのが目的である。
【課題を解決するための手段】
【００２２】  先ず、この発明の基本的な構成を図面に基づき説明する。すなわち、図５乃至図９に示すように、上端部に開口部１を形成させた全体がほぼ壷形状の容器本体４であって、その容器本体４の底部２には水抜き孔３が有り、その底裏には複数の脚体５が設けられ、開口部１用の上蓋１０は、水導入孔９を有している。また、容器本体４内の底部２には、面状部分に透孔６を、裏面には複数の短脚７を有した火格子８を着脱自在に載置しておくように形成した焼却容器である。【００２３】  なお、本発明の容器本体４の開口部１は、大別して２種類あり、先ず、図８や図９に示すように、容器本体４の最上端部に水平状に設けて、そこに上蓋１０を載置するか、もう１種は、図１乃至図３に示すように、開口部１を容器本体４の最上端部中心辺りから一方へ傾斜状に設けて、そこに上蓋１０を載置したものである。【００２４】  また、この開口部１の異なる形式に伴って、上蓋１０における水導入孔９の形状は必然的示すように、中央のつまみ１３から放射状に孔が拡大するようにした水導入孔９を複数設けたものである。これに対し、開口部１が傾斜したものは、図４に示す例のように縦長にするのが普通であるが、勿論、図示省略したが、横長にしたものを、平行状に配しても構わない。【００２５】  なお、図４に示すように、つまみ１３を省略しても構わない。何故なら、二つの水導入孔９に渡って、跨いで親指と人差し指を差し込んで摘めば、上蓋１０は十分に動かせるからである。このことは、図８や図９の開口部１が水平状のものに用いられる上蓋１０についても同様に云えることである。【００２６】  ここで、開口部１が傾斜した場合の上蓋１０に関するやや特殊な水導入孔９について詳述する。それは、図２や図３に見るように、上蓋１０の表面には水導入孔９が全くないように見えてしまう形式のものである。
つまり、上蓋１０を、容器本体４の開口部１に載置したときに、上蓋１０の周辺部と開口部１の周辺部との聞に、僅かな間隙と共に段差１１を生ずるように形成させるのであって、その段差１１の適当な個所の両者、すなわち、上蓋１０の周辺部と同じ所の開口部１の周辺部に、切欠状の水導入孔９を形成するようにしたものである。【００２７】  すなわち、細長い隙間のような水導入孔９である。なお、少なくとも上蓋１０の下辺部近傍には、雨水が最も集まりやすいから水導入孔９を必ず設けることにする。
このことは、図１を見れば解るように、開口部１の周辺部にある段差１１、すなわち、開口部１の周辺部の内側縁辺部に、上蓋１０の外周辺部が載ることで上蓋１０が安定する載置する構成であるから、その載置する段差１１の何処かに切欠状の水導入孔９を形成するのである。【００２８】  例えば降水時には、雨水が傾斜している段差１１の中にも落ち込むから、段差１１の中の何処かに設けた切欠状の水導入孔９から容器本体４内に入り込むことになる。
勿論、この場合は、上蓋１０の表面に水導入孔９があるものに比べれば、雨水の導入量は逢かに少ないものとなる。
なお、容器本体４内の火炎が大きい場合には、必要に応じて、墓参り用の水を上蓋１０の表面から散水してもよく、水導入孔９には適宜の水を流通させることができる。【００２９】  また、容器本体４内の水抜き孔３は、底部２の少なくとも中心に設けておくか、若しくは底部２の周辺に幾つか配設したものとするが、図６に示すように中心と周辺との両者に設けてもよいことは当然である。なお、水抜き孔３を通過した雨水等の水は、地面へと落下し、その後、容器本体４の底裏にある複数の脚体５の聞を通って地面上に流れ、やがて流散する。【００３０】  更に、火格子８も、全体として円盤状のものとするなら、その中心部から周辺部に向けて、下方又は上方へ傾斜面として中心部と周辺部とでは高低差を設けたものとする。そして、火格子８の中心部なり、傾斜面の何処かに透孔６を有したものとする。
ただし、火格子８が図１０に示すような短脚７自体が、その表裏面で傾斜面を兼ねるように成したものは、その短脚７の幅を狭くしておけば透孔６を設けなくともよい。
いずれにしても、容器本体４の底部２に落ちた雨水等の水は、これら短脚７の聞を通って水抜き孔３から地面へと流出させるようにしている。【００３１】  図５、図７、図９及び図１１は、円盤状とした火格子８の中心に透孔６を１つだけ設けたものを示したものである。図１の火格子８は、中心に蝋燭立て用針１２があるために、中心部の蝋燭立て用針１２を避け、その周囲に複数設けた例で示したものである。
なお、透孔６の直径を、線香の束を差し込み立てるのに適合するように定めてもよいだろうし、また、図示の火格子８は全て円盤状にて示したが、方形状であっても多角形状であっても構わないし、透孔６や短脚７の数も常識の範囲で決めればよい。【００３２】  ところで、火格子８は、丸めた古新聞紙等の可燃物を上に載せて燃やすが、当然ながら可燃物の方が大きいものとなろう。すなわち、可燃物が燃焼しやすいように、下方から空気を供給するための火格子８であり、容器本体４の水抜き孔３と共に、この透孔６もその空気供給口の役目も兼ねることになるのである。
したがって、火格子８が板面状のものなら、透孔６の直径は大きい方が好ましいが、線香束を差し込む径として不足ならば小孔を多数設けるようにすればよい。【００３３】  なお、火格子８の片面の中心部に、透孔６に変えて蝋燭立て用針１２を有したものは、図１及び図１０に示すように、短脚７自体が、その表裏面で中心部を最も薄厚の傾斜面を兼ねるように成したものとするが好ましい。
このような火格子８とすれば、燭台を兼ねた火格子８となり、蝋燭立て用針１２が邪魔な時には、裏返して用いれば、蝋燭立て用針１２の針先は容器本体４の底部２の水抜き孔３に向けられるから全く問題ない。この火格子８を用いれば、燭台兼用の焼却容器にすることができる。【００３４】  なお、容器本体４と上蓋１０及び火格子８の材質は、火と水とを扱うものであるから、錆びないステンレスのような金属製でもよいが、好ましくは墓地に相応しいように素焼きや陶器も含めて土器製が好ましい。その形状も、単なる垂直状筒体であっても、機能としての本発明の目的自体は達成できるが、墓地に置いて相応しいように胴体に膨らみのある壷形状がより好ましく、燭台兼用としたものは、尚更に望ましい。
【発明の効果】
【００３５】  上記のように構成したから、本発明の焼却容器を例えば墓地に置いておけば、墓参時に線香に火を点す際に、古新聞紙等を丸めて容器本体４内に入れて着火させれば、風があっても容器本体４が防風役となり風を受けることなく燃えるから、従来のように空地で燃えカスが飛散する心配もなく、炎の上に線香の束をかざして火を点けることができる。【００３６】  線香に火を点け終わってから、上蓋１０を外した侭で、紙類が容器本体４内で燃え続けていても、上端部近傍の周面を中心に向けて湾曲した開口部１として形成すると、容器本体４に横方から当った風は、左右に分かれて流れると同時に、上端部近傍の風は流線型に湾曲した周面を流れるので、酷い乱流となって容器本体４内部から燃えカスを舞い上げる虞は低くなったので安心である。【００３７】  したがって、水導入孔９を有する上蓋１０であっても、この上蓋１０を用いれば、容器本体４内で軽くなった燃えカスでさえ、外に飛び出すことの虞がより少なくなり、他所への火災等の心配が全くなくなって安心である。
加えて、墓参を終えて上蓋１０をして帰った後に雨が降れば、水導入孔９から容器本体４内へ浸入した雨水は、その雨の勢いにより直接に燃えカス上に降り注ぎ、完全に消火させることができる。【００３８】  雨の勢いが弱い場合でも、燃えている燃えカスの炎の勢いが大きくなることはないし、少量の雨水は、容器本体４の内壁を伝って底部２の水抜き孔３から容器本体４の外に流出し、脚体５の聞から周囲へ流れることになるから、容器本体４内に溜まる量は少なく、自然に乾燥してしまう。【００３９】  ところで、古新聞紙等は容器本体４内の火格子８上に置かれて燃やされるから、その燃えカスも灰となって火格子８上に多く存在することになる。そこで、火格子８は、中心部から周辺に向けて下方又は上方へ傾斜面としたものとしているから、火格子８に降り注がれた雨水は、灰と共に傾斜面沿いに容器本体４の底部２へと流れ落ち、やがて上記同様に水抜き孔３から、灰までも容器本体４の外へと流出させてくれるのである。【００４０】  その際、火格子８の傾斜した面部に、図１１に示したような溝１５を均等間隔に設けたものは、溝１５内に古新聞紙等の燃えカスが、燃え尽きて灰化した後で、雨が降って上蓋１０の雨水導入孔９から直接降り注がれた雨水が、火格子８上の灰を伴って溝１５内へと落とし込み、丁度川幅が急に細くなったような効果を生じて勢いが付き、中央の透孔６へと運びやすくしてくれる利点を生ずる。【００４１】  なお、開口部１を一方へ傾斜状に設けた容器本体４を採用して、火格子８に蝋燭立て用針１２を有したものを用いれば、燭台兼用となって墓前にて灯明を上げることができることは勿論、ローソク１４には簡単に火を点せるので、先ず持参したローソク１４を、容器本体４内の蝋燭立て用針１２に立てて、マッチかライターで着火させる。次に、線香の束をやや緩めてローソク１４の炎にかざせば、容器本体４が風除け役となるから、容易に線香の束に着火することができるようになる。【００４２】  このことは、着火用の古新聞紙等が不要であることを意味し、前述した燃えカスの始末の問題が一挙に解決される。加えて、墓碑用の燭台にもなるし、従来は一般にあまり行わなかった所謂お灯明上げが、祖先に対して墓前でできるようになる。
勿論、持参した諸可燃物の焼却も兼ね得ることは当然である。【００４３】  すなわち、容器本体４が風除けとなると共に、この場合は開口部１が一方へ傾斜状に設けた容器本体４だから、ローソク１４が点っている炎が開口部１から見えるようになる。
勿論、ローソク１４の長さにもよるが、火格子８の高さを十分高く設計すればよいし、別に火格子８を載せる高さ調整用の台を備えればよいのである。【００４４】  更には、図４のように、上蓋１０に水導入孔９のあるものとすれば、上蓋１０を用いても水導入孔９から、明かりが漏れるから墓前の雰囲気がよくなり、その侭、帰宅しでも心配はないし、ローソク１４を消して帰れば、次回墓参時にも使えるようになる。【００４５】  なお、燭台として使用しない時は、蝋燭立て用針１２が邪魔にならぬよう裏返して容器本体４の底部２に置けばよいことは前述した。故に、この裏返した状態なら、前述した火格子８の場合のように用いることができるようになり、雨水や灰の流れは蝋燭立て用針１２の周りから容器本体４の底部２へ、更に、地面へと流出して行くことになって、蝋燭立て用針１２のない火格子８の場合と大して変わりのない機能のものとなる。
【発明を実施するための最良の形態】
【００４６】  この発明の最良の形態は、燭台としても用いることが出来る図１に示した開口部１が一方へ傾斜状に設けた容器本体４とし、蝋燭立て用針１２を有した火格子８を内在させたものとする。さすれば、線香束に火を点けるのに古新聞紙等を持参する必要がなくなることは「発明の効果」の欄で詳述した通りである。【００４７】  加えて、点火したローソク１４の明かりが漏れ出て、よい雰囲気が演出できるように、傾斜状に設けた容器本体４用の上蓋１０に、図４に見るような水導入孔９を、複数設けたものとする方が好ましいものと思われる。
また、敢えて云うなら、火格子８も、蝋燭立て用針１２を備えた図１０に示すように、短脚７自体が、その表裏面で傾斜面を兼ねるように成したもの３本程度で構成したものとする方が、面積が小さくなって火格子８上の燃えカス量が少なくなり好ましい。
【実施例１】
【００４８】  次に、実施例１について述べる。図１乃至図３に示したものは、全体の外観を、雪洞の「かまくら」風に似せた土製の容器本体４としたもので、その大きさは厳密である必要性はなく、内径の広いところで１４ｃｍ程度、狭いところである開口部１の上端に近い辺りは、片手が入る程の１０ｃｍ位で、開口部１の高は７ｃｍ程度で、開口部１の周辺には３〜５ｃｍ幅の間隙が出来る段差１１を設け、その両側の傾斜する途中に３ｃｍ長程の切欠を、最下辺部には５ｃｍ長程の切欠を有して水抜き孔３用とし、全高を１５ｃｍとした。
上蓋１０にも、同様な切欠を有して上記開口部１の周辺の水抜き孔３と合致させたが、透孔６を有しないために、つまみ１３を設けている。
【実施例２】
【００４９】  実施例２としては、容器本体４は実施例１と同じで、上蓋１０に図４に見るような、つまみ１３を設けずに、幅を２ｃｍ程度で、長さが４ｃｍ程度で縦長の透孔６を３本設けたものを採用するとした。
【実施例３】
【００５０】  実施例３は、上記実施例１及び実施例２に用いる土器製の火格子８で、図１０に見る３本の短脚７自体が傾斜面を兼ねるように成したものであり、蝋燭立て用針１２は、鉄製なので、予め埋め込み用の穴に耐火性の接着剤で固着させた。勿論、この火格子８全体を、鉄などの金属製としても構わない。
【実施例４】
【００５１】  実施例４は、実施例３の火格子８に換えて、火格子８を円盤状にしたもので、図示省略したが、図１の断面図で判るように、中心部から表裏共に周辺部へ向かつて肉厚とした土器製の片面の中心の穴に、蝋燭立て用針１２を耐火性の接着剤で固着させたものであり、透孔６は蝋燭立て用針１２の周りに数個を均等間隔に有したものとした。
この場合も、火格子８全体を、鉄などの金属製としても構わない。
【実施例５】
【００５２】  実施例５は、図５と図６及び図８に示したもので、前出同様に土器製とし、開口部１を容器本体４の上端に水平状としたものであり、大きさは実施例１と同じ程度か、やや大きめとした。上蓋１０は、中央のつまみ１３から放射状に孔が拡大するようにしたものを３ヶ所設けたものとした。
【実施例６】
【００５３】  実施例６は、図９に示したような、胴体にあまり膨らみのない垂直筒状の容器本体４としたものである。ただし、開口部１の周辺は中心に向けて湾曲させた形状とする等、他の諸事項は上記各実施例と同じである。
この実施例６では、胴体が垂直筒体状であるから、ステンレス製などの金属製とした方が作りやすいと云えよう。
【実施例７】
【００４７】  実施例７は、蝋燭立て用針１２のない火格子８類全般のことであるが、本発明の火格子８は、図５、図７及び図９に見るような円盤状の中心に透孔６を設けて、裏に複数の短脚７さえ備えていれば、あまり構成形状や材質等にこだわることはないのである。
事実、一般に用いられる火格子８には、様々な形式のものがある。五徳のように上部が広く開口されたものでなければ、上面に透孔６でなく網目であっても構わないのである。
【実施例８】
【００５４】  実施例８としてはあまり形を特定する必要はないが、図１１に示したように円盤体の中心の透孔６から周辺へ向けて高くなるよう傾斜させた面部に、８本の溝１５が均等間隔に設けたものとした。すなわち、この火格子８は、開口部１が傾斜状の容器本体４に用いても構わないが、蝋燭立て用針１２がないから水平状の容器本体４に用いるものである。【００５５】  このように溝１５を設けると、溝１５内に古新聞紙等の燃えカスが、燃え尽きて灰化した後で、雨が降って上蓋１０の水導入孔９から火格子８上に直接降り注いだ雨水は、火格子８上の灰を伴って溝１５内へと落とし、丁度川幅が急に細くなったような効果を生じて勢いが付き、中央の透孔６へと運んでくれるのである。
【図面の簡単な説明】
【００５６】
【図１】  本発明の実施例にて、左側面を示した縦軸断面図である。
【図２】  本発明の図１に近似の実施例を示した左側面図である。
【図３】  図２の正面図である。
【図４】  図２の上蓋にて、他の実施例を示す正面図である。
【図５】  本発明の他の実施例であって、上蓋を開口部から外した状態で示した正面図である。
【図６】  図５の容器本体の内部を、破線で示した正面図である。
【図７】  本発明の火格子を、図６の容器本体の内に載置した状態で示した正面図である。
【図８】  図５の実施例であって、上蓋を開口部へ載置した状態で示した正面図である。
【図９】  図８に近似の容器本体と上蓋の実施例であって、縦軸断面図である。
【図１０】  本発明の火格子の他の実施例の斜視図である。
【図１１】  本発明の火格子で、更に他の実施例の斜視図である。
【符号の説明】
【００５７】１  開口部
２  底部
３  水抜き孔
４  容器本体
５  脚体
６  透孔
７  短脚
８  火格子
９  水導入孔
１０  上蓋
１１  段差
１２  蝋燭立て用針
【図１】
2009046960.tif 000003
【図２】
2009046960.tif 000004
【図３】
2009046960.tif 000005
【図４】
2009046960.tif 000006
【図５】
2009046960.tif 000007
【図６】
2009046960.tif 000008
【図７】
2009046960.tif 000009
【図８】
2009046960.tif 000010
【図９】
2009046960.tif 000011
【図１０】
2009046960.tif 000012
【図１１】
2009046960.tif 000013